【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】
レンズを保持するレンズ保持筒と、
該レンズ保持筒が偏芯調整された状態で固定される支持筒と、
前記レンズ保持筒の外周上に配置された中間リングとを有し、
前記中間リングは、前記支持筒と前記レンズ保持筒との間に形成された周方向に延びる隙間に挿入され、該中間リングの径方向における厚みが該径方向と直交する方向における一端側から他端側に向かって小さくなるくさび状部を有しており、
前記支持筒および前記レンズ保持筒は、
前記レンズ保持筒の偏芯調整時に、前記レンズ保持筒の前記支持筒に対する光軸方向への移動を当接により阻止しながら光軸直交方向への移動を許容するための偏芯調整ガイド部と、
前記レンズ保持筒の偏芯調整後における前記レンズ保持筒および前記支持筒の隙間に応じて前記中間リングを光軸直交方向に対して傾けた際に、前記くさび状部の内径面及び外径面にそれぞれ当接することが可能なリング当接部とを有しており、
前記くさび状部の内径面及び外径面を前記リング当接部に当接させた状態で、前記中間リングと前記支持筒と前記レンズ保持筒とにおけるそれぞれの当接する部分を接着固定または溶着固定したことを特徴とするレンズ鏡筒。
【請求項２】
前記くさび状部の内径面に当接する前記リング当接部が、前記中間リングの傾き中心を中心とする球面形状に形成されていることを特徴とする請求項１に記載のレンズ鏡筒。
【請求項３】
前記くさび状部の外径面が凸球面形状に形成されているとともに、前記くさび状部の外径面に当接する前記リング当接部が、前記凸球面形状に対応する凹球面形状に形成されていることを特徴とする請求項１又は２に記載のレンズ鏡筒。
【請求項４】
前記偏芯調整ガイド部および前記リング当接部が、光軸直交面上にて周方向に交互に形成されているとともに、前記くさび状部が前記リング当接部に対応して周方向の複数箇所に形成されていることを特徴とする請求項１に記載のレンズ鏡筒。
【請求項５】
前記レンズ保持筒は、この外周面において、
光軸に対して傾斜しており、前記レンズ保持筒の偏芯調整に用いられる治具が押圧されたときに、このレンズ保持筒を光軸方向における前記支持筒側に移動させる力を発生させるための治具受け面を有することを特徴とする請求項１から４の何れか一項に記載のレンズ鏡筒。
【請求項６】
請求項１から５の何れか一項に記載のレンズ鏡筒を備えたことを特徴とする光学機器。
【手続補正２】
【補正対象書類名】明細書
【補正対象項目名】００１０
【補正方法】変更
【補正の内容】
【００１０】
【課題を解決するための手段】
上記の目的を達成するために、本発明であるレンズ鏡筒は、レンズを保持するレンズ保持筒と、レンズ保持筒が偏芯調整された状態で固定される支持筒と、レンズ保持筒の外周上に配置された中間リングとを有し、中間リングは、支持筒とレンズ保持筒との間に形成された周方向に延びる隙間に挿入され、中間リングの径方向における厚みが該径方向と直交する方向における一端側から他端側に向かって小さくなるくさび状部を有しており、支持筒およびレンズ保持筒は、レンズ保持筒の偏芯調整時に、レンズ保持筒の支持筒に対する光軸方向への移動を当接により阻止しながら光軸直交方向への移動を許容するための偏芯調整ガイド部と、レンズ保持筒の偏芯調整後におけるレンズ保持筒および支持筒の隙間に応じて中間リングを光軸直交方向に対して傾けた際に、くさび状部の内径面および外径面にそれぞれ当接することが可能なリング当接部とを有しており、くさび状部の内径面および外径面をリング当接部に当接させた状態で、中間リングと支持筒とレンズ支持筒とにおけるそれぞれの当接する部分を接着固定または溶着固定している。
【手続補正３】
【補正対象書類名】明細書
【補正対象項目名】００１１
【補正方法】変更
【補正の内容】
【００１１】
これにより、レンズ保持筒は光軸方向については偏芯調整ガイド部により、また光軸直交方向（偏芯調整方向）には中間リング（くさび状部）とリング当接部との当接により支持筒に対して機械的に位置決めされる。このため、容易に偏芯調整状態を維持したまま支持筒に対してレンズ保持筒を接着固定又は溶着固定することが可能となるとともに、接着固定後又は溶着固定後において衝撃や環境変化等により偏芯調整状態がずれにくいレンズ鏡筒とすることが可能となる。
【手続補正４】
【補正対象書類名】明細書
【補正対象項目名】００１２
【補正方法】変更
【補正の内容】
【００１２】
なお、中間リング（くさび状部）の内径面及び外径面とリング当接部との安定した当接状態を確保するために、例えば、中間リング（くさび状部）の内径面に当接するリング当接部を、中間リングの傾き中心を中心とする球面形状に形成してもよい。
【手続補正５】
【補正対象書類名】明細書
【補正対象項目名】００１３
【補正方法】変更
【補正の内容】
【００１３】
さらに、中間リング（くさび状部）の外径面を凸球面形状に形成するとともに、中間リング（くさび状部）の外径面に当接するリング当接部を、上記凸球面形状に対応する凹球面形状に形成してもよい。
【手続補正６】
【補正対象書類名】明細書
【補正対象項目名】００１４
【補正方法】変更
【補正の内容】
【００１４】
また、偏芯調整ガイド部およびリング当接部を光軸直交面上にて周方向に交互に形成するとともに、くさび状部をリング当接部に対応するよう周方向の複数箇所に形成することにより、これら偏芯調整機構に必要な光軸方向スペースを小さくし、レンズ鏡筒の大型化を抑えることが可能となる。
【手続補正７】
【補正対象書類名】明細書
【補正対象項目名】００１５
【補正方法】変更
【補正の内容】
【００１５】
また、レンズ保持筒の外周に、光軸に対して傾斜しており、偏芯調整に用いられる治具が押圧されたときに、レンズ保持筒を光軸方向における支持筒側に移動させる力を発生させるための治具受け面を形成しておくことにより、偏芯調整中に偏芯調整ガイド部における光軸方向へのがたつきを防止して、より正確な偏芯調整を可能とするのが好ましい。
【手続補正８】
【補正対象書類名】明細書
【補正対象項目名】００３０
【補正方法】変更
【補正の内容】
【００３０】
図２には、前玉鏡筒ユニット１を分解して示している。２１は偏芯調整される第１レンズ群Ｌ１を保持している前玉鏡筒（レンズ保持筒）、２２は固定リング（中間リング）、２３は固定筒（支持筒）である。
【手続補正９】
【補正対象書類名】明細書
【補正対象項目名】００３１
【補正方法】変更
【補正の内容】
【００３１】
次に、上記前玉鏡筒ユニットの各構成部品の形状および関係について、図３（ａ），（ｂ）も併せ用いて説明する。なお、図３（ａ），（ｂ）は第１レンズ群Ｌ１を保持する前玉鏡筒２１が、固定筒２３に対して略同軸に偏芯調整された後に固定リング２２により位置を決められている図である。
【手続補正１０】
【補正対象書類名】明細書
【補正対象項目名】００３３
【補正方法】変更
【補正の内容】
【００３３】
図３（ａ）はフランジ部２３ａ（２３ｂ，２３ｃ）に対応する部分の断面図である。固定筒２３のフランジ部２３ａ，２３ｂ，２３ｃは、前玉鏡筒２１のフランジ部２１ａ，２１ｂ，２１ｃと面２１ｇとの間に挿入されており、前玉鏡筒２１の偏芯調整の際に、光軸直交方向におけるスペースｔの分だけ前玉鏡筒２１を固定筒２３に対して光軸直交方向に移動（偏芯調整移動）させることができる。
【手続補正１１】
【補正対象書類名】明細書
【補正対象項目名】００３４
【補正方法】変更
【補正の内容】
【００３４】
固定筒２３のフランジ部２３ａ，２３ｂ，２３ｃと、前玉鏡筒２１のフランジ部２１ａ，２１ｂ，２１ｃおよび面２１ｇの間には前玉鏡筒２１の偏芯調整移動を許容するための若干の隙間が設けられているが、偏芯調整時には、後述するように、固定筒２３のフランジ部２３ａ，２３ｂ，２３ｃに対して前玉鏡筒２１の面２１ｇを当接（片寄せ）させることにより、前玉鏡筒２１の固定筒２３に対する光軸方向移動を阻止した状態、つまりは前玉鏡筒２１を固定筒２３に対して機械的に光軸方向位置決めした状態で前玉鏡筒２１を固定筒２３に対して偏芯調整移動させることができる。
【手続補正１２】
【補正対象書類名】明細書
【補正対象項目名】００３６
【補正方法】変更
【補正の内容】
【００３６】
図３（ｂ）は固定リング２２におけるくさび状断面を有する部分に対応する断面図である。２２ｄ，２２ｅ，２２ｆは固定リング２２における周方向３カ所に形成されたくさび状断面を有する部分（以下、くさび状部という）であり、各くさび状部の内径面は円筒面の一部となっている。
【手続補正１３】
【補正対象書類名】明細書
【補正対象項目名】００３７
【補正方法】変更
【補正の内容】
【００３７】
ここで、くさび状部２２ｄ，２２ｅ，２２ｆの断面形状は、固定リング２２の軸方向前側（図３（ｂ）中の左側）よりも後側（図３（ｂ）中の右側）の方が、固定リング２２の径方向における厚み（くさび状部２２ｄ，２２ｅ，２２ｆの厚み）が小さくなるように形成されている。さらに、このくさび状部２２ｄ，２２ｅ，２２ｆの外径面は、半径Ｒ２の凸状球面となっている。
【手続補正１４】
【補正対象書類名】明細書
【補正対象項目名】００３８
【補正方法】変更
【補正の内容】
【００３８】
なお、くさび状部２２ｄ，２２ｅ，２２ｆは、光軸を含む断面において矩形状の連結部２２ａ，２２ｂ，２２ｃにより周方向に連結され、固定リング２２は全体が一体のリング形状を有する。
【手続補正１５】
【補正対象書類名】明細書
【補正対象項目名】００４１
【補正方法】変更
【補正の内容】
【００４１】
したがって、前玉鏡筒２１を固定筒２３に対して偏芯調整移動させることによって前玉鏡筒２１の受け面２１ｈと固定筒２３の受け面２３ｄ，２３ｅ，２３ｆそれぞれとの間の隙間（光軸直交方向における隙間）に周方向での差が生じても、固定リング２２を傾かせることによってこの固定リング２２の内径面および外径面と受け面２１ｈおよび受け面２３ｄ，２３ｅ，２３ｆとを確実に当接させることができ、偏芯調整方向（光軸直交方向）について前玉鏡筒２１を固定筒２３に対して機械的に位置決めすることができる。
【手続補正１６】
【補正対象書類名】明細書
【補正対象項目名】００４９
【補正方法】変更
【補正の内容】
【００４９】
また、調整治具２５の先端は半球形状になっており、これを光軸に対して傾いた治具受け面２１ｊに当接させることで、前玉鏡筒２１の面２１ｇを固定筒２３のフランジ２３ａ，２３ｂ，２３ｃの前側の面（面２１ｇと対向する面）に圧接（片寄せ）させながら偏芯調整が可能となり、より正確な偏芯調整を行うことができる。
【手続補正１７】
【補正対象書類名】明細書
【補正対象項目名】００５０
【補正方法】変更
【補正の内容】
【００５０】
図４（ｂ），（ｃ）はそれぞれ、図４（ａ）に示す状態に対して前玉鏡筒２１を図中下方向および上方向にｘだけ偏芯させた後、前玉鏡筒２１の前方から調整治具２５とは別の治具を用いて、固定リング２２を点２１ｉを略中心として傾かせながら光軸方向後方に押し、固定リング２２の内径面及び外径面のそれぞれが受け面２１ｈ，２３ｄに当接する固定位置まで移動させた状態を示している。
【手続補正１８】
【補正対象書類名】明細書
【補正対象項目名】００５１
【補正方法】変更
【補正の内容】
【００５１】
図４（ｂ）では、前玉鏡筒２１が下方向に偏芯しているので、前玉鏡筒２１および固定筒２３の受け面２１ｈ、２３ｄ間の隙間のうち上側の方が下側よりも広くなっている。このため、固定リング２２の上側のくさび状部は、図４（ｃ）に示す位置よりも後方（図４中の右方向）まで挿入される。
【手続補正１９】
【補正対象書類名】明細書
【補正対象項目名】００５２
【補正方法】変更
【補正の内容】
【００５２】
ここで、図４（ｂ），（ｃ）はそれぞれ、光軸から上側のみを示しているが、図４（ｃ）は図４（ｂ）の光軸を挟んだ反対側（下側）の断面にも対応している。すなわち、前玉鏡筒２１の固定筒２３に対する偏芯調整後に、点２１ｉを略中心として傾かせた固定リング２２を受け面２１ｈ，２３ｄの間の隙間に嵌合するように挿入することにより、前玉鏡筒２１を固定筒２３に対して偏芯調整後の位置で位置決めすることができる。
【手続補正２０】
【補正対象書類名】明細書
【補正対象項目名】００５６
【補正方法】変更
【補正の内容】
【００５６】
【発明の効果】
以上説明したように、本発明によれば、レンズ保持筒は光軸方向については偏芯調整ガイド部により、また光軸直交方向（偏芯調整方向）には中間リング（くさび状部）とリング当接部との当接により支持筒に対して機械的に位置決めされるので、容易に偏芯調整状態を維持したまま支持筒に対してレンズ保持筒を接着固定又は溶着固定することができる。しかも、接着固定後又は溶着固定後において衝撃や環境変化等により偏芯調整状態がずれにくいレンズ鏡筒とすることができる。
【手続補正２１】
【補正対象書類名】明細書
【補正対象項目名】００５７
【補正方法】変更
【補正の内容】
【００５７】
なお、中間リング（くさび状部）の内径面に当接するリング当接部を、中間リングの傾き中心を中心とする球面形状に形成したり、中間リング（くさび状部）の外径面を凸球面形状に形成するとともに中間リング（くさび状部）の外径面に当接するリング当接部を上記凸球面形状に対応する凹球面形状に形成したりすれば、中間リング（くさび状部）の内径面及び外径面とリング当接部との安定した当接状態を確保することができる。
【手続補正２２】
【補正対象書類名】明細書
【補正対象項目名】００５８
【補正方法】変更
【補正の内容】
【００５８】
また、偏芯調整ガイド部およびリング当接部を光軸直交面上にて周方向で交互に形成するとともに、くさび状部をリング当接部に対応するよう周方向の複数箇所に形成すれば、これら偏芯調整機構に必要な光軸方向スペースを小さくし、レンズ鏡筒の大型化を抑えることができる。
【手続補正２３】
【補正対象書類名】明細書
【補正対象項目名】００５９
【補正方法】変更
【補正の内容】
【００５９】
また、レンズ保持筒の外周に、光軸に対して傾斜し、偏芯調整に用いられる治具が押圧されたときに、レンズ保持筒を光軸方向における支持筒側に移動させる力を発生させるための治具受け面を形成しておけば、偏芯調整中に偏芯調整ガイド部における光軸方向へのがたつきを防止でき、より正確な偏芯調整を行うことができる。
【手続補正２４】
【補正対象書類名】図面
【補正対象項目名】図３
【補正方法】変更
【補正の内容】
【図３】
2001343574.tif 000001
【手続補正２５】
【補正対象書類名】図面
【補正対象項目名】図４
【補正方法】変更
【補正の内容】
【図４】
2001343574.tif 000002